(57)【要約】【課題】迷惑メール抑制システムにおいて、余り開発コストをかけずとも、ユーザが、迷惑メールと判定された電子メールを参照できるようにする。【解決手段】ネットワーク装置１は、受信した電子メールが迷惑メールでないと判定した場合は一般メール用メールサーバ２へ、迷惑メールであると判定した場合は迷惑メール用メールサーバ３へ上記電子メールを送信する。メールサーバ２、３は、ネットワーク装置１からの電子メールをメールボックスに蓄積する。メールサーバ２、３は、既存の技術により実現でき、開発コストはかからない。ユーザ端末４のユーザは、通常時には、メールサーバ２に対して受信要求を送信し、ネットワーク装置１で迷惑メールでないと判定された電子メール受信する。また、迷惑メールと判定された電子メールの中に、有用な電子メールが含まれているか否かを確認したい場合は、メールサーバ３へ受信要求を送信する。【選択図】図１
2007183802.tif 000002
【特許請求の範囲】
【請求項１】
一般メール用メールサーバと、迷惑メール用メールサーバと、ネットワーク装置とを含むネットワークシステムにおいて、
前記ネットワーク装置が、
受信した電子メールが迷惑メールであるか否かを判定し、迷惑メールでないと判定した場合は、前記一般メール用メールサーバへ前記電子メールを送信し、迷惑メールであると判定した場合は、前記迷惑メール用メールサーバへ前記電子メールを送信する手段を備えたことを特徴とする迷惑メール抑制システム。
【請求項２】
請求項１記載の迷惑メール抑制システムにおいて、
前記ネットワーク装置が、
前記一般メール用メールサーバのＩＰアドレス及び前記迷惑メール用メールサーバのＩＰアドレスが登録されたメールサーバリスト記憶部と、
受信した電子メールが迷惑メールであるか否かを判定する迷惑メール判定部と、
該迷惑メール判定部で迷惑メールでないと判定された電子メールについては、その宛先ＩＰアドレスに、前記メールサーバリスト記憶部に登録されている前記一般メール用メールサーバのＩＰアドレスをセットして送信し、迷惑メールであると判定された電子メールについては、その宛先ＩＰアドレスに前記メールサーバリスト記憶部に登録されている前記迷惑メール用メールサーバのＩＰアドレスをセットして送信する振り分け部とを備えたことを特徴とする迷惑メール抑制システム。
【請求項３】
請求項１記載の迷惑メール抑制システムにおいて、
前記ネットワーク装置が、
前記一般メール用メールサーバのＩＰアドレス及び前記迷惑メール用メールサーバのＩＰアドレスが登録されたメールサーバリスト記憶部と、
複数の送受信部と、
ルーティング情報が登録されたルーティングテーブルと、
前記送受信部を介して受信した電子メールが迷惑メールであるか否かを判定する迷惑メール判定部と、
該迷惑メール判定部で迷惑メールであると判定された電子メールの宛先ＩＰアドレスを、前記メールサーバリスト記憶部に登録されている前記迷惑メール用メールサーバのＩＰアドレスに置き換える振り分け部と、
該振り分け部で宛先ＩＰアドレスが置き換えられた後の電子メール及び前記迷惑メール判定部で迷惑メールでないと判定された電子メールに関して、その出力先にする送受信部を、前記ルーティングテーブルを参照して決定するルーティング処理部とを備えたことを特徴とする迷惑メール抑制システム。
【請求項４】
請求項１乃至３の何れか１項に記載の迷惑メール抑制システムにおいて、
前記一般メール用メールサーバが、
前記ネットワーク装置から送られてきた電子メールを保持する一般メール用メールボックスと、
ユーザ端末から電子メールの受信要求が送られてきたとき、前記一般メール用メールボックスに保持されている電子メールの内の、受信要求されている電子メールを前記ユーザ端末に送信する一般メール用メール送信部とを備え、
前記迷惑メール用メールサーバが、
前記ネットワーク装置から送られてきた電子メールを保持する迷惑メール用メールボックスと、
ユーザ端末から電子メールの受信要求が送られてきたとき、前記迷惑メール用メールボックスに保持されている電子メールの内の、受信要求されている電子メールを前記ユーザ端末へ送信する迷惑メール用メール送信部とを備えたことを特徴とする迷惑メール抑制システム。
【請求項５】
請求項４記載の迷惑メール抑制システムにおいて、
前記ユーザ端末が、
前記一般メール用メールサーバのＩＰアドレスが登録された一般メール受信用ＩＰアドレス記憶部と、
前記迷惑メール用メールサーバのＩＰアドレスが登録された迷惑メール受信用ＩＰアドレス記憶部と、
ユーザによって一般メール受信指示が入力されたとき、前記一般メール受信用ＩＰアドレス記憶部に登録されているＩＰアドレスへ電子メールの受信要求を送信し、ユーザによって迷惑メール受信指示が入力されたとき、前記迷惑メール受信用ＩＰアドレス記憶部に登録されているＩＰアドレスへ電子メールの受信要求を送信するメール受信部とを備えたことを特徴とする迷惑メール抑制システム。
【請求項６】
受信した電子メールが迷惑メールであるか否かを判定し、迷惑メールでないと判定した場合は、一般メール用メールサーバへ前記電子メールを送信し、迷惑メールであると判定した場合は、迷惑メール用メールサーバへ前記電子メールを送信する手段を備えたことを特徴とするネットワーク装置。
【請求項７】
請求項６記載のネットワーク装置において、
前記一般メール用メールサーバのＩＰアドレス及び前記迷惑メール用メールサーバのＩＰアドレスが登録されたメールサーバリスト記憶部と、
受信した電子メールが迷惑メールであるか否かを判定する迷惑メール判定部と、
該迷惑メール判定部で迷惑メールでないと判定された電子メールについては、その宛先ＩＰアドレスに、前記メールサーバリスト記憶部に登録されている前記一般メール用メールサーバのＩＰアドレスをセットして送信し、迷惑メールであると判定された電子メールについては、その宛先ＩＰアドレスに前記メールサーバリスト記憶部に登録されている前記迷惑メール用メールサーバのＩＰアドレスをセットして送信する振り分け部とを備えたことを特徴とするネットワーク装置。
【請求項８】
請求項６記載のネットワーク装置において、
前記一般メール用メールサーバのＩＰアドレス及び前記迷惑メール用メールサーバのＩＰアドレスが登録されたメールサーバリスト記憶部と、
複数の送受信部と、
ルーティング情報が登録されたルーティングテーブルと、
前記送受信部を介して受信した電子メールが迷惑メールであるか否かを判定する迷惑メール判定部と、
該迷惑メール判定部で迷惑メールであると判定された電子メールの宛先ＩＰアドレスを、前記メールサーバリスト記憶部に登録されている前記迷惑メール用メールサーバのＩＰアドレスに置き換える振り分け部と、
該振り分け部で宛先ＩＰアドレスが置き換えられた後の電子メール及び前記迷惑メール判定部で迷惑メールでないと判定された電子メールに関して、その出力先にする送受信部を、前記ルーティングテーブルを参照して決定するルーティング処理部とを備えたことを特徴とするネットワーク装置。
【請求項９】
一般メール用メールサーバのＩＰアドレスが登録された一般メール受信用ＩＰアドレス記憶部と、
迷惑メール用メールサーバのＩＰアドレスが登録された迷惑メール受信用ＩＰアドレス記憶部と、
ユーザによって一般メール受信指示が入力されたとき、前記一般メール受信用ＩＰアドレス記憶部に登録されているＩＰアドレスへ電子メールの受信要求を送信し、ユーザによって迷惑メール受信指示が入力されたとき、前記迷惑メール受信用ＩＰアドレス記憶部に登録されているＩＰアドレスへ電子メールの受信要求を送信するメール受信部とを備えたことを特徴とするユーザ端末。
【請求項１０】
一般メール用メールサーバと、迷惑メール用メールサーバと、ネットワーク装置とを含むネットワークシステムにおいて、
前記ネットワーク装置が、
受信した電子メールが迷惑メールであるか否かを判定し、迷惑メールでないと判定した場合は、前記一般メール用メールサーバへ前記電子メールを送信し、迷惑メールであると判定した場合は、前記迷惑メール用メールサーバへ前記電子メールを送信することを特徴とする迷惑メール抑制方法。
【請求項１１】
コンピュータを、
受信した電子メールが迷惑メールであるか否かを判定し、迷惑メールでないと判定した場合は、一般メール用メールサーバへ前記電子メールを送信し、迷惑メールであると判定した場合は、迷惑メール用メールサーバへ前記電子メールを送信する手段として機能させるためのプログラム。
【請求項１２】
一般メール用メールサーバのＩＰアドレス及び迷惑メール用メールサーバのＩＰアドレスが登録されたメールサーバリスト記憶部を備えたコンピュータを、
受信した電子メールが迷惑メールであるか否かを判定する迷惑メール判定部、
該迷惑メール判定部で迷惑メールでないと判定された電子メールについては、その宛先ＩＰアドレスに、前記メールサーバリスト記憶部に登録されている前記一般メール用メールサーバのＩＰアドレスをセットして送信し、迷惑メールであると判定された電子メールについては、その宛先ＩＰアドレスに前記メールサーバリスト記憶部に登録されている前記迷惑メール用メールサーバのＩＰアドレスをセットして送信する振り分け部として機能させるためのプログラム。
【請求項１３】
一般メール用メールサーバのＩＰアドレス及び迷惑メール用メールサーバのＩＰアドレスが登録されたメールサーバリスト記憶部と、ルーティング情報が登録されたルーティングテーブルと、複数の送受信部とを備えたコンピュータを、
前記送受信部を介して受信した電子メールが迷惑メールであるか否かを判定する迷惑メール判定部、
該迷惑メール判定部で迷惑メールであると判定された電子メールの宛先ＩＰアドレスを、前記メールサーバリスト記憶部に登録されている前記迷惑メール用メールサーバのＩＰアドレスに置き換える振り分け部、
該振り分け部で宛先ＩＰアドレスが置き換えられた後の電子メール及び前記迷惑メール判定部で迷惑メールでないと判定された電子メールに関して、その出力先にする送受信部を、前記ルーティングテーブルを参照して決定するルーティング処理部として機能させるためのプログラム。
【請求項１４】
一般メール用メールサーバのＩＰアドレスが登録された一般メール受信用ＩＰアドレス記憶部と、迷惑メール用メールサーバのＩＰアドレスが登録された迷惑メール受信用ＩＰアドレス記憶部とを備えたコンピュータを、
ユーザによって一般メール受信指示が入力されたとき、前記一般メール受信用ＩＰアドレス記憶部に登録されているＩＰアドレスへ電子メールの受信要求を送信し、ユーザによって迷惑メール受信指示が入力されたとき、前記迷惑メール受信用ＩＰアドレス記憶部に登録されているＩＰアドレスへ電子メールの受信要求を送信するメール受信部として機能させるためのプログラム。
【発明の詳細な説明】
【技術分野】
【０００１】
本発明は、迷惑メールによって発生する無駄なコストを抑制する迷惑メール抑制技術に関し、特に、既存のメールサーバと同様の構成を有する迷惑メール用メールサーバを利用することにより、迷惑メールによって発生する無駄なコストを抑制する迷惑メール抑制技術に関する。
【背景技術】
【０００２】
現在、いわゆる電子メールは、インターネットを利用するユーザ間の情報伝達手段として欠かせないものとなっている。ユーザによっては一日に数十件から数百件もの電子メールを受信するため、これらをより効率的に処理することは非常に重要である。しかし、その一方、電子メールを利用して、自社の製品紹介のような内容のメールを不特定多数のユーザへ大量に送信する、いわゆる迷惑メールが大きな問題となっている。迷惑メールは、そこに記される情報にユーザが興味を持っているか否かに関わらず、送信側から受信側へと一方的に送信されるものであるため、届いた電子メールは、ほとんど、あるいは全く本文の内容を読まれずにユーザによって廃棄されてしまう。このような即座に廃棄されてしまう迷惑メールによって、様々な無駄なコストが発生するが、電子メール全体に対する迷惑メールの割合は、日々増加している。迷惑メールによって発生する無駄なコストとしては、例えば、メールサーバにおいて迷惑メールを送受信するための負荷、ユーザサイドにおいて受信した電子メールを迷惑メールとそれ以外の一般メールとに振り分けるために消費される時間、ユーザサイドにおいて迷惑メールをダウンロードすることにより発生する無駄なダウンロード時間などがある。
【０００３】
ところで、迷惑メールによる無駄なコストを抑制するための従来の技術としては、次のような技術が知られている。
【０００４】
第１の従来の技術としては、メール中継サーバにおいて受信した電子メールが迷惑メールか否かを判定し、迷惑メールであると判定した電子メールは破棄し、それ以外の一般の電子メールはメールサーバへ送信する技術が知られている（例えば、特許文献１参照）。なお、特許文献１に記載されている従来の技術においては、迷惑メールであると判定した電子メールをメール中継サーバ内のデータベースに蓄積するが、このデータベースは、管理者が迷惑メールの受信履歴などを分析するために利用するものであり、そこに蓄積された迷惑メールがユーザサイドやメールサーバに送られることはない。従って、ユーザやメールサーバにとっては、迷惑メールは破棄されたことになる。
【０００５】
また、第２の従来の技術としては、メールサーバが、受信した電子メールが迷惑メールであるか否かを判定し、迷惑メールでなかった場合には、メールサーバ内のメールボックスに受信した電子メールを蓄積し、迷惑メールであった場合は、既存のメールサーバとは異なる新たに開発したスプールサーバへ迷惑メールを送信する技術が知られている（例えば、特許文献２参照）。なお、スプールサーバにおいては、メールサーバから送られてきた迷惑メールを拒否用メールボックスに蓄積し、ユーザのユーザ端末から迷惑メールの読み出しが要求された場合、拒否用メールボックスに格納されている、上記ユーザ宛の迷惑メールを上記ユーザ端末へ送信するようにしている。
【０００６】
【特許文献１】特開２００４−２５４０３４号公報
【特許文献２】特開２００４−２１６２３号公報
【発明の開示】
【発明が解決しようとする課題】
【０００７】
上述した第１の従来の技術では、メール中継サーバが迷惑メールを破棄するようにしているため、メールサーバには迷惑メールではない一般の電子メールのみが送信される。これにより、メールサーバで迷惑メールを送受信することにより発生していた無駄な負荷、ユーザサイドで電子メールの振り分け作業を行うことにより発生していた無駄な時間、ユーザサイドで迷惑メールを受信することにより発生していた無駄なダウンロード時間を解消することができる。しかし、迷惑メールであるか否かの判定を１００％の精度で行うことは非常に難しいため、迷惑メールでない一般の電子メールを誤って迷惑メールと判定してしまう場合もある。このような場合、第１の従来の技術では、誤って迷惑メールであると判定された電子メールを、ユーザが全く参照することができなくなってしまうと言う問題がある。
【０００８】
一方、第２の従来の技術では、メールサーバが、迷惑メールであると判定した電子メールをスプールサーバへ送信し、スプールサーバが、メールサーバから送られてきた迷惑メールを拒否用メールボックスに格納し、ユーザ端末から迷惑メールの読み出しが要求された場合、拒否用メールボックスに格納されている該当する迷惑メールをユーザ端末に送信するようにしているので、誤って迷惑メールであると判定されてしまった電子メールを、ユーザが必要に応じて参照ことが可能になる。しかし、第２の従来の技術は、迷惑メール専用のスプールサーバを新たに開発しなければならないため、開発コストがかかると言う問題がある。
【０００９】
〔発明の目的〕
そこで、本発明の目的は、迷惑メールであるか否かを判定し、その判定結果を利用して迷惑メールと一般メールとを別々に管理することにより、迷惑メールによる無駄なコストを抑制するようにした迷惑メール抑制システムにおいて、迷惑メールでない一般の電子メールを誤って迷惑メールであると判定してしまった場合においても、余り開発コストをかけることなく、ユーザが必要に応じて誤って迷惑メールとされてしまった電子メールを参照できるようにすることにある。
【課題を解決するための手段】
【００１０】
本発明にかかる第１の迷惑メール抑制システムは、
一般メール用メールサーバと、迷惑メール用メールサーバと、ネットワーク装置とを含むネットワークシステムにおいて、
前記ネットワーク装置が、
受信した電子メールが迷惑メールであるか否かを判定し、迷惑メールでないと判定した場合は、前記一般メール用メールサーバへ前記電子メールを送信し、迷惑メールであると判定した場合は、前記迷惑メール用メールサーバへ前記電子メールを送信する手段を備えたことを特徴とする。
【００１１】
本発明にかかる第２の迷惑メール抑制システムは、第１の迷惑メール抑制システムにおいて、
前記ネットワーク装置が、
前記一般メール用メールサーバのＩＰアドレス及び前記迷惑メール用メールサーバのＩＰアドレスが登録されたメールサーバリスト記憶部と、
受信した電子メールが迷惑メールであるか否かを判定する迷惑メール判定部と、
該迷惑メール判定部で迷惑メールでないと判定された電子メールについては、その宛先ＩＰアドレスに、前記メールサーバリスト記憶部に登録されている前記一般メール用メールサーバのＩＰアドレスをセットして送信し、迷惑メールであると判定された電子メールについては、その宛先ＩＰアドレスに前記メールサーバリスト記憶部に登録されている前記迷惑メール用メールサーバのＩＰアドレスをセットして送信する振り分け部とを備えたことを特徴とする。
【００１２】
本発明にかかる第３の迷惑メール抑制システムは、第１の迷惑メール抑制システムにおいて、
前記ネットワーク装置が、
前記一般メール用メールサーバのＩＰアドレス及び前記迷惑メール用メールサーバのＩＰアドレスが登録されたメールサーバリスト記憶部と、
複数の送受信部と、
ルーティング情報が登録されたルーティングテーブルと、
前記送受信部を介して受信した電子メールが迷惑メールであるか否かを判定する迷惑メール判定部と、
該迷惑メール判定部で迷惑メールであると判定された電子メールの宛先ＩＰアドレスを、前記メールサーバリスト記憶部に登録されている前記迷惑メール用メールサーバのＩＰアドレスに置き換える振り分け部と、
該振り分け部で宛先ＩＰアドレスが置き換えられた後の電子メール及び前記迷惑メール判定部で迷惑メールでないと判定された電子メールに関して、その出力先にする送受信部を、前記ルーティングテーブルを参照して決定するルーティング処理部とを備えたことを特徴とする。
【００１３】
本発明にかかる第４の迷惑メール抑制システムは、第１〜第３の迷惑メール抑制システムの何れかにおいて、
前記一般メール用メールサーバが、
前記ネットワーク装置から送られてきた電子メールを保持する一般メール用メールボックスと、
ユーザ端末から電子メールの受信要求が送られてきたとき、前記一般メール用メールボックスに保持されている電子メールの内の、受信要求されている電子メールを前記ユーザ端末に送信する一般メール用メール送信部とを備え、
前記迷惑メール用メールサーバが、
前記ネットワーク装置から送られてきた電子メールを保持する迷惑メール用メールボックスと、
ユーザ端末から電子メールの受信要求が送られてきたとき、前記迷惑メール用メールボックスに保持されている電子メールの内の、受信要求されている電子メールを前記ユーザ端末へ送信する迷惑メール用メール送信部とを備えたことを特徴とする。
【００１４】
本発明にかかる第５の迷惑メール抑制システムは、第４の迷惑メール抑制システムにおいて、
前記ユーザ端末が、
前記一般メール用メールサーバのＩＰアドレスが登録された一般メール受信用ＩＰアドレス記憶部と、
前記迷惑メール用メールサーバのＩＰアドレスが登録された迷惑メール受信用ＩＰアドレス記憶部と、
ユーザによって一般メール受信指示が入力されたとき、前記一般メール受信用ＩＰアドレス記憶部に登録されているＩＰアドレスへ電子メールの受信要求を送信し、ユーザによって迷惑メール受信指示が入力されたとき、前記迷惑メール受信用ＩＰアドレス記憶部に登録されているＩＰアドレスへ電子メールの受信要求を送信するメール受信部とを備えたことを特徴とする。
【００１５】
本発明にかかる第１のネットワーク装置は、
受信した電子メールが迷惑メールであるか否かを判定し、迷惑メールでないと判定した場合は、一般メール用メールサーバへ前記電子メールを送信し、迷惑メールであると判定した場合は、迷惑メール用メールサーバへ前記電子メールを送信する手段を備えたことを特徴とする。
【００１６】
本発明にかかる第２のネットワーク装置は、第１のネットワーク装置において、
前記一般メール用メールサーバのＩＰアドレス及び前記迷惑メール用メールサーバのＩＰアドレスが登録されたメールサーバリスト記憶部と、
受信した電子メールが迷惑メールであるか否かを判定する迷惑メール判定部と、
該迷惑メール判定部で迷惑メールでないと判定された電子メールについては、その宛先ＩＰアドレスに、前記メールサーバリスト記憶部に登録されている前記一般メール用メールサーバのＩＰアドレスをセットして送信し、迷惑メールであると判定された電子メールについては、その宛先ＩＰアドレスに前記メールサーバリスト記憶部に登録されている前記迷惑メール用メールサーバのＩＰアドレスをセットして送信する振り分け部とを備えたことを特徴とする。
【００１７】
本発明にかかる第３のネットワーク装置は、第１のネットワーク装置において、
前記一般メール用メールサーバのＩＰアドレス及び前記迷惑メール用メールサーバのＩＰアドレスが登録されたメールサーバリスト記憶部と、
複数の送受信部と、
ルーティング情報が登録されたルーティングテーブルと、
前記送受信部を介して受信した電子メールが迷惑メールであるか否かを判定する迷惑メール判定部と、
該迷惑メール判定部で迷惑メールであると判定された電子メールの宛先ＩＰアドレスを、前記メールサーバリスト記憶部に登録されている前記迷惑メール用メールサーバのＩＰアドレスに置き換える振り分け部と、
該振り分け部で宛先ＩＰアドレスが置き換えられた後の電子メール及び前記迷惑メール判定部で迷惑メールでないと判定された電子メール関して、その出力先にする送受信部を、前記ルーティングテーブルを参照して決定するルーティング処理部とを備えたことを特徴とする。
【００１８】
本発明にかかるユーザ端末は、
一般メール用メールサーバのＩＰアドレスが登録された一般メール受信用ＩＰアドレス記憶部と、
迷惑メール用メールサーバのＩＰアドレスが登録された迷惑メール受信用ＩＰアドレス記憶部と、
ユーザによって一般メール受信指示が入力されたとき、前記一般メール受信用ＩＰアドレス記憶部に登録されているＩＰアドレスへ電子メールの受信要求を送信し、ユーザによって迷惑メール受信指示が入力されたとき、前記迷惑メール受信用ＩＰアドレス記憶部に登録されているＩＰアドレスへ電子メールの受信要求を送信するメール受信部とを備えたことを特徴とする。
【００１９】
本発明にかかる迷惑メール抑制方法は、
一般メール用メールサーバと、迷惑メール用メールサーバと、ネットワーク装置とを含むネットワークシステムにおいて、
前記ネットワーク装置が、
受信した電子メールが迷惑メールであるか否かを判定し、迷惑メールでないと判定した場合は、前記一般メール用メールサーバへ前記電子メールを送信し、迷惑メールであると判定した場合は、前記迷惑メール用メールサーバへ前記電子メールを送信することを特徴とする。
【００２０】
本発明にかかる第１のプログラムは、
コンピュータを、
受信した電子メールが迷惑メールであるか否かを判定し、迷惑メールでないと判定した場合は、一般メール用メールサーバへ前記電子メールを送信し、迷惑メールであると判定した場合は、迷惑メール用メールサーバへ前記電子メールを送信する手段として機能させる。
【００２１】
本発明にかかる第２のプログラムは、
一般メール用メールサーバのＩＰアドレス及び迷惑メール用メールサーバのＩＰアドレスが登録されたメールサーバリスト記憶部を備えたコンピュータを、
受信した電子メールが迷惑メールであるか否かを判定する迷惑メール判定部、
該迷惑メール判定部で迷惑メールでないと判定された電子メールについては、その宛先ＩＰアドレスに、前記メールサーバリスト記憶部に登録されている前記一般メール用メールサーバのＩＰアドレスをセットして送信し、迷惑メールであると判定された電子メールについては、その宛先ＩＰアドレスに前記メールサーバリスト記憶部に登録されている前記迷惑メール用メールサーバのＩＰアドレスをセットして送信する振り分け部として機能させる。
【００２２】
本発明にかかる第３のプログラムは、
一般メール用メールサーバのＩＰアドレス及び迷惑メール用メールサーバのＩＰアドレスが登録されたメールサーバリスト記憶部と、ルーティング情報が登録されたルーティングテーブルと、複数の送受信部とを備えたコンピュータを、
前記送受信部を介して受信した電子メールが迷惑メールであるか否かを判定する迷惑メール判定部、
該迷惑メール判定部で迷惑メールであると判定された電子メールの宛先ＩＰアドレスを、前記メールサーバリスト記憶部に登録されている前記迷惑メール用メールサーバのＩＰアドレスに置き換える振り分け部、
該振り分け部で宛先ＩＰアドレスが置き換えられた後の電子メール及び前記迷惑メール判定部で迷惑メールでないと判定された電子メールに関して、その出力先にする送受信部を、前記ルーティングテーブルを参照して決定するルーティング処理部として機能させる。
【００２３】
本発明にかかる第４のプログラムは、
一般メール用メールサーバのＩＰアドレスが登録された一般メール受信用ＩＰアドレス記憶部と、迷惑メール用メールサーバのＩＰアドレスが登録された迷惑メール受信用ＩＰアドレス記憶部とを備えたコンピュータを、
ユーザによって一般メール受信指示が入力されたとき、前記一般メール受信用ＩＰアドレス記憶部に登録されているＩＰアドレスへ電子メールの受信要求を送信し、ユーザによって迷惑メール受信指示が入力されたとき、前記迷惑メール受信用ＩＰアドレス記憶部に登録されているＩＰアドレスへ電子メールの受信要求を送信するメール受信部として機能させる。
【００２４】
〔作用〕
ネットワーク装置は、受信した電子メールが迷惑メールであるか否かを判定し、迷惑メールでないと判定した場合は、一般メール用メールサーバへ上記電子メールを送信し、迷惑メールであると判定した場合は、迷惑メール用メールサーバへ上記電子メールを送信する。
【００２５】
一般メール用メールサーバおよび迷惑メール用メールサーバは、ネットワーク装置から送られてきた電子メールをメールボックスに蓄積する。ここで、一般メール用メールサーバには、ネットワーク装置において迷惑メールではないと判定された電子メールのみが届くため、迷惑メールの送受信にかかる負荷がなくなる。一方、迷惑メール用メールサーバにはネットワーク装置によって迷惑メールと判定された電子メールのみが届くが、これには重要な情報を含む電子メールが含まれることがほとんどないため、迷惑メールの送受信によって電子メールの配信等に遅延が発生しても、サービスとして問題となることはない。なお、一般メール用メールサーバおよび迷惑メール用メールサーバは、既存の技術で実現できるため、開発コストはかからない。
【００２６】
電子メールを受信するユーザのユーザ端末には、ユーザによって一般メール受信指示が入力された場合には、一般メール用メールサーバに対して電子メールの受信要求を送信し、ユーザによって迷惑メール受信指示が入力された場合には、迷惑メール用メールサーバに対して電子メールの受信要求を送信するメール受信部が設けられており、ユーザが、一般メール用メールサーバ、迷惑メール用メールサーバの何れからも自身宛の電子メールを受信できるようになっている。
【００２７】
ユーザは、通常時には、一般メール用メールサーバから自身宛の電子メールを受信する。ここで、一般メール用メールサーバから受信する電子メールは、ネットワーク装置によって迷惑メールではないと判定された電子メールだけであるため、ユーザが迷惑メールを振り分けるための作業時間が大きく減少する。また、ネットワーク装置によって迷惑メールと判定された電子メールの中に、ユーザにとって有用な一般メールが含まれていたとしても、迷惑メール受信指示を入力することにより、迷惑メール用メールサーバから自身宛の電子メールを受信することができるので、自身にとって有用な一般メールを参照することができる。
【発明の効果】
【００２８】
本発明によれば、迷惑メールであるか否かを判定し、その判定結果を利用して迷惑メールによる無駄なコストを抑制するようにした迷惑メール抑制システムにおいて、迷惑メールでない一般の電子メールを誤って迷惑メールであると判定してしまった場合においても、余り開発コストをかけることなく、ユーザが必要に応じて誤って迷惑メールとされてしまった一般の電子メールを参照することが可能となる。
【００２９】
その理由は、受信した電子メールが迷惑メールであるか否かを判定し、迷惑メールでないと判定した場合は、一般メール用メールサーバへ上記電子メールを送信し、迷惑メールであると判定した場合は、迷惑メール用メールサーバへ上記電子メールを送信するネットワーク装置を備えているからである。即ち、既存の技術で実現できる迷惑メール用メールサーバを利用して迷惑メールを管理するようにしており、特許文献２に記載されている従来の技術のように、迷惑メール専用のスプールサーバを新たに開発する必要がないので、開発コストを余りかけることなく、ユーザが必要に応じて誤って迷惑メールとされてしまった電子メールを参照することが可能となる。
【発明を実施するための最良の形態】
【００３０】
次に本発明の実施の形態について図面を参照して詳細に説明する。
【００３１】
〔第１の実施の形態の構成の説明〕
図１は本発明にかかる迷惑メール抑制システムの第１の実施の形態の構成例を示すブロック図であり、ネットワーク装置１と、一般メール用メールサーバ２と、迷惑メール用メールサーバ３と、ユーザ端末４と、メール中継サーバ５とから構成されている。また、ネットワーク装置１、一般メール用メールサーバ２、迷惑メール用メールサーバ３及びユーザ端末４は、Ethernet（登録商標）等のネットワーク６を介して相互に接続されている。
【００３２】
ネットワーク装置１は、一般メール用メールサーバ２及び迷惑メール用メールサーバ３の前段に設けられており、メール中継サーバ５から送られてくる電子メールが迷惑メールか否かを判定し、迷惑メールでない一般の電子メールであると判定した場合には、上記電子メールを一般メール用メールサーバ２へ送信し、迷惑メールであると判定した場合は、上記電子メールを迷惑メール用メールサーバ３へ送信する機能を有する。
【００３３】
図２は、ネットワーク装置１の構成例を示すブロック図であり、パケット送受信部１１と、パケット転送制御部１２と、迷惑メール判定部１３と、ハードディスク等によって実現される記憶装置１４とを備えている。
【００３４】
記憶装置１４には、メールサーバリスト記憶部１４１が設けられており、メールサーバリスト記憶部１４１には、一般メール用メールサーバ２のＩＰアドレスと、迷惑メール用メールサーバ３のＩＰアドレスとが登録されている。図３は、メールサーバリスト記憶部１４１の内容例を示す図であり、この例は、一般メール用メールサーバ２、迷惑メール用メールサーバ３のＩＰアドレスとして、それぞれ「ＩＰ１」「ＩＰ２」が登録されていることを示している。
【００３５】
パケット送受信部１１は、ネットワーク装置１と外部ネットワーク６との接点であり、メール中継サーバ５から送られてきたパケットをパケット転送制御部１２に渡し、パケット転送制御部１２から渡されたパケットをネットワーク６へ送出する機能を有する。
【００３６】
パケット転送制御部１２は、判定依頼部１２１と、振り分け部１２２とを備えている。
【００３７】
判定依頼部１２１は、パケット送受信部１１を介して電子メールのパケットを受信したとき、パケットのデータ部に含まれている電子メールを迷惑メール判定部１３に渡し、迷惑メールであるか否かを判定することを依頼する機能を有する。
【００３８】
振り分け部１２２は、迷惑メール判定部１３において、迷惑メールでないと判定された電子メールのパケットについては、メールサーバリスト記憶部１４１から一般メール用メールサーバ２のＩＰアドレスを取り出し、そのＩＰアドレスへ上記パケットを転送し、迷惑メールであると判定された電子メールのパケットについては、メールサーバ記憶部１４１から迷惑メール用メールサーバ３のＩＰアドレスを取り出し、そのＩＰアドレスへ上記パケットを転送する機能を有する。
【００３９】
迷惑メール判定部１３は、判定依頼部１２１から渡された電子メールが迷惑メールであるか否かを判定する機能を有する。
【００４０】
このような機能を有するネットワーク装置１は、コンピュータによって実現可能であり、コンピュータによって実現する場合は、例えば、次のようにする。コンピュータをネットワーク装置１として機能させるためのプログラムを記録したディスク、半導体メモリ、その他の記録媒体を用意し、コンピュータに上記プログラムを読み取らせる。コンピュータは、読み取ったプログラムに従って自身の動作を制御することにより、自コンピュータ上に、パケット転送制御部１２、及び迷惑メール判定部１３を実現する。
【００４１】
一般メール用メールサーバ２は、ネットワーク装置１において迷惑メールではないと判定された電子メール用のメールサーバであり、例えば、図４に示すように、メール受信部２１と、メール送信部２２と、メールボックス２３とを備えている。
【００４２】
メール受信部２１は、ネットワーク装置１から送られてきた、自サーバ２のＩＰアドレスを宛先ＩＰアドレスとして含むパケットを受信し、それに含まれている電子メールをメールボックス２３に登録する機能を有する。
【００４３】
メール送信部２２は、ユーザ端末から電子メールの受信要求があったとき、メールボックス２３から受信要求されている電子メールを取り出し、要求元のユーザ端末へ送信する機能を有する。
【００４４】
このような機能を有する一般メール用メールサーバ２は、コンピュータによって実現可能であり、コンピュータによって実現する場合には、例えば、次のようにする。コンピュータを一般メール用メールサーバ２として機能させるためのプログラムを記録したディスク、半導体メモリ、その他の記録媒体を用意し、コンピュータに上記プログラムを読み取らせる。コンピュータは、読み取ったプログラムに従って自身の動作を制御することにより、自コンピュータ上に、メール受信部２１、メール送信部２２を実現する。
【００４５】
迷惑メール用メールサーバ３は、ネットワーク装置１において迷惑メールであると判定された電子メール用のメールサーバであり、一般メール用メールサーバ２と同様の構成を有する。
【００４６】
ユーザ端末４は、ユーザの指示に従って一般メール用メールサーバ２或いは迷惑メール用メールサーバ３から、ユーザ宛の電子メールを受信する機能を有する。
【００４７】
図５はユーザ端末４の構成例を示すブロック図であり、一般メール受信用ＩＰアドレス記憶部４１と、迷惑メール受信用ＩＰアドレス記憶部４２と、メール受信部４３と、メール記憶部４４と、キーボード等からなる入力部４５と、ＬＣＤ等からなる表示部４６とを備えている。
【００４８】
一般メール受信用ＩＰアドレス記憶部４１には、一般メール用メールサーバ２のＩＰアドレスが登録され、迷惑メール受信用ＩＰアドレス記憶部４２には、迷惑メール用メールサーバ３のＩＰアドレスが登録されている。
【００４９】
メール受信部４３は、ユーザによって入力部４５から一般メール受信指示が入力されたとき、一般メール受信用ＩＰアドレス記憶部４１に登録されている一般メール用メールサーバ２のＩＰアドレスへ電子メールの受信要求を送信する機能や、ユーザによって入力部４５から迷惑メール受信指示が入力されたとき迷惑メール受信用ＩＰアドレス記憶部４２に登録されている迷惑メール用メールサーバ３のＩＰアドレスへ電子メールの受信要求を送信する機能や、電子メールの受信要求に応答して一般メール用メールサーバ２或いは迷惑メール用メールサーバ３から送られてきた電子メールを表示部４６に表示すると共にメール記憶部４４に格納する機能を有する。
【００５０】
このような機能を有するユーザ端末４は、パーソナルコンピュータ等のコンピュータによって実現可能であり、コンピュータによって実現する場合は、例えば、次のようにする。コンピュータをメール受信部４３として機能させるためのプログラムを記録したディスク、半導体メモリ、その他の記録媒体を用意し、コンピュータに上記プログラムを読み取らせる。コンピュータは、読み取ったプログラムに従って自身の動作を制御することにより、自コンピュータ上にメール受信部４３を実現する。
【００５１】
メール中継サーバ５は、電子メールを中継するサーバであり、ネットワーク装置１へ電子メールを中継する。
【００５２】
〔第１の実施の形態の動作の説明〕
次に、本実施の形態の動作について詳細に説明する。
【００５３】
先ず、ネットワーク装置１がメール中継サーバ５から送られてきた電子メールのパケットを受信した場合の動作について説明する。なお、上記パケットの宛先ＩＰアドレスは、ネットワーク装置１のＩＰアドレスになっているとする。
【００５４】
メール中継サーバ５から送られてきた電子メールのパケットは、パケット送受信部１１を介してパケット転送制御部１２に渡される。これにより、パケット転送制御部１２内の判定依頼部１２１は、上記パケットのデータ部に含まれている電子メールを迷惑メール判定部１３に渡し、それが迷惑メールであるか否かを判定することを依頼する（図６のステップＳ６１）。
【００５５】
これにより、迷惑メール判定部１３は、判定依頼部１２１から渡された電子メールが迷惑メールであるか否かを判定し、判定結果を判定依頼部１２１に返却する。なお、迷惑メールか否かの判定方法は、任意の判定方法を利用することができ、例えば、電子メールの送信元のメールアドレスに基づいて迷惑メールであるか否かを判定する判定方法を採用することができる。
【００５６】
判定依頼部１２１は、迷惑メール判定部１３から判定結果が返却されると、それを振り分け部１２２に渡す。
【００５７】
振り分け部１２２は、判定結果が迷惑メールでないことを示している場合（ステップＳ６２がＮＯ）は、メールサーバリスト記憶部１４１から一般メール用メールサーバ２のＩＰアドレスを取り出し、処理対象にしているパケットの宛先ＩＰアドレスに上記ＩＰアドレスをセットする（ステップＳ６３）。その後、振り分け部１２２は、パケット送受信部１１を介して上記パケットを一般メール用メールサーバ２へ送信する（ステップＳ６５）。一般メール用メールサーバ２内のメール受信部２１は、ネットワーク装置１からパケットが送られてくると、そのデータ部に含まれている電子メールを、メールボックス２３に格納する（図７のステップＳ７１）。
【００５８】
これに対して、判定結果が迷惑メールであることを示している場合（ステップＳ６２がＹＥＳ）は、振り分け部１２２は、メールサーバリスト記憶部１４１から迷惑メール用メールサーバ３のＩＰアドレスを取り出し、処理対象にしているパケットの宛先ＩＰアドレスに上記ＩＰアドレスをセットする(ステップＳ６４)。その後、振り分け部１２２は、パケット送受信部１１を介して上記パケットを迷惑メール用メールサーバ３へ送信する（ステップＳ６５）。これにより、迷惑メール用メールサーバ３は、上記パケットのデータ部に含まれている電子メールを、自サーバ３内のメールボックス（図示せず）に格納する。
【００５９】
次に、ユーザ端末４のユーザが、自身宛の電子メールを受信する場合の動作について説明する。
【００６０】
先ず、迷惑メールでない一般メールを受信する場合の動作について説明する。この場合、ユーザは、入力部４５からメール受信部４３に対して一般メール受信指示を入力する。
【００６１】
メール受信部４３は、入力部４５から一般メール受信指示が入力されると（図９のステップＳ９１がＹＥＳ）、一般メール受信用ＩＰアドレス記憶部４１から一般メール用メールサーバ２のＩＰアドレスを取り出し（ステップＳ９２）、そのＩＰアドレスの一般メール用メールサーバ２へ電子メールの受信要求を送信し、待ち状態となる（ステップＳ９４）。なお、上記受信要求には、ユーザ端末４のユーザのメールアドレスが含まれている。
【００６２】
一般メール用メールサーバ２内のメール送信部２２は、ユーザ端末４から電子メールの受信要求が送られてくると、上記受信要求に含まれているメールアドレスを宛先にしている電子メールをメールボックス２３から取り出し、要求元のユーザ端末４へ送信する（図８のステップＳ８１、Ｓ８２）。
【００６３】
ユーザ端末４内のメール受信部４３は、一般メール用メールサーバ２から電子メールが送られてくると、それを表示部４６に表示すると共に、メール記憶部４４に格納する（図９のステップＳ９５）。
【００６４】
次に、ユーザ端末４のユーザが、自身宛の迷惑メールを受信する場合の動作について説明する。この場合、ユーザは、入力部４５からメール受信部４３に対して迷惑メール受信指示を入力する。
【００６５】
メール受信部４３は、入力部４５から迷惑メール受信指示が入力されると（図９のステップＳ９１がＮＯ）、迷惑メール受信用ＩＰアドレス記憶部４２から迷惑メール用メールサーバ３のＩＰアドレスを取り出し（ステップＳ９３）、そのＩＰアドレスの迷惑メール用メールサーバ３へ電子メールの受信要求を送信し、待ち状態となる（ステップＳ９４）。なお、上記受信要求には、ユーザ端末４のユーザのメールアドレスが含まれている。
【００６６】
迷惑メール用メールサーバ３は、ユーザ端末４から電子メールの受信要求が送られていると、上記受信要求中のメールアドレスを宛先にしている電子メールをメールボックス（図示せず）から取り出し、要求元のユーザ端末４へ送信する。この動作は、一般メール用メールサーバ２内のメール送信部２２が行う動作と全く同様の動作である。
【００６７】
ユーザ端末４内のメール受信部４３は、迷惑メール用メールサーバ２から電子メールが送られてくると、それを表示部４６に表示すると共に、メール記憶部４４に格納する（図９のステップＳ９５）。
【００６８】
〔第１の実施の形態の効果〕
本実施の形態によれば、迷惑メールであるか否かを判定し、その判定結果を利用して迷惑メールによる無駄なコストを抑制するようにした迷惑メール抑制システムにおいて、迷惑メールでない一般の電子メールを誤って迷惑メールであると判定してしまった場合においても、余り開発コストをかけることなく、ユーザが必要に応じて誤って迷惑メールとされてしまった電子メールを参照することが可能となる。
【００６９】
その理由は、受信した電子メールが迷惑メールであるか否かを判定し、迷惑メールでないと判定した場合は、一般メール用メールサーバ２へ上記電子メールを送信し、迷惑メールであると判定した場合は、迷惑メール用メールサーバ３へ電子メールを送信するネットワーク装置１を備えているからである。即ち、既存の技術で実現できる迷惑メール用メールサーバ３を利用して迷惑メールを管理するようにしており、特許文献２に記載されている従来の技術のように、迷惑メール専用のスプールサーバを新たに開発する必要がないので、開発コストを余りかけることなく、ユーザが必要に応じて誤って迷惑メールとされてしまった電子メールを参照することが可能となる。
【００７０】
〔第２の実施の形態〕
次に、本発明にかかる迷惑メール抑制システムの第２の実施の形態について説明する。本実施の形態は、ネットワーク装置にルータの機能を持たせたことを特徴とする。
【００７１】
〔第２の実施の形態の構成の説明〕
本実施の形態にかかる迷惑メール抑制システムは、図１において、ネットワーク装置１の代わりに、図１０に示すネットワーク装置１ａを用いることにより実現される。
【００７２】
図１０に示したネットワーク装置１ａと図２に示したネットワーク装置１との相違点は、パケット送受信部１１の代わりに複数のパケット送受信部１１−１〜１１−ｋが設けられている点、パケット転送制御部１２の代わりにパケット転送制御部１２ａが設けられている点、及び記憶装置１４の代わりに記憶装置１４ａが設けられている点である。
【００７３】
各パケット送受信部１１−１〜１１−ｋには、それぞれ異なるネットワークや装置が接続されており、それらとの間でパケットを送受信する機能を有する。本実施の形態では、パケット送受信部１１−１には、メール中継サーバ５が接続され、パケット送受信部１１−ｋには、ネットワーク６が接続されている。
【００７４】
記憶装置１４ａは、ルーティングテーブル１４２が追加されている点が記憶措置１４と相違している。ルーティングテーブル１４２には、ＩＰアドレスに対応付けて、そのＩＰアドレスを宛先ＩＰアドレスとしているパケットを、パケット送受信部１１−１〜１１−ｋの内の、どのパケット送受信部に出力するのかを示すルーティング情報が登録されている。なお、本実施の形態では、一般メール用メールサーバ２、迷惑メール用メールサーバ３のＩＰアドレスを宛先ＩＰアドレスとしているパケットは、パケット送受信部１１−ｋに出力されるように、ルーティングテーブル１４２の内容が設定されている。
【００７５】
パケット転送制御部１２ａは、判定依頼部１２１の代わりに判定依頼部１２１ａを備えている点、振り分け部１２２の代わりに振り分け部１２２ａを備えている点、及びルーティング処理部１２３が追加されている点がパケット転送制御部１２と相違している。
【００７６】
判定依頼部１２１ａは、各パケット送受信部１１−１〜１１−ｋを介して受信したパケットが電子メールのパケットである場合には、迷惑メール判定部１３に対して迷惑メールか否かの判定依頼を行い、そうでない場合は、パケットをルーティング処理部１２３に渡す点が判定依頼部１２１と相違している。
【００７７】
振り分け部１２２ａは、処理対象にしているパケットのデータ部に含まれている電子メールが、迷惑メールでなかった場合は、上記パケットをそのままルーティング処理部１２３に渡し、迷惑メールであった場合は、上記パケットの宛先ＩＰアドレスを迷惑メール用メールサーバ３のＩＰアドレスに置き換えてからルーティング処理部１２３に渡す機能を有する。
【００７８】
ルーティング処理部１２３は、ルーティングテーブル１４２を参照してパケットを送出するパケット送受信部を決定し、そのパケット送受信部を介してパケットを送出する機能を有する。
【００７９】
なお、ネットワーク装置１ａは、コンピュータによって実現可能であり、コンピュータによって実現する場合は、例えば、次のようにする。コンピュータをネットワーク装置１ａとして機能させるためのプログラムを記録したディスク、半導体メモリ、その他の記録媒体を用意し、コンピュータに上記プログラムを読み取らせる。コンピュータは、読み取ったプログラムに従って自身の動作を制御することにより、自コンピュータ上に、パケット転送制御部１２ａ、及び迷惑メール判定部１３を実現する。
【００８０】
〔第２の実施の形態の動作の説明〕
次に、本実施の形態の動作について説明する。なお、ネットワーク装置１ａ以外の動作は、第１の実施の形態と同様であるので、ここでは、ネットワーク装置１ａに関連する動作についてのみ説明する。
【００８１】
パケット転送制御部１２ａ内の判定依頼部１２１ａは、パケット送受信部１１−１〜１１−ｋを介してパケットを受信すると、そのパケットが電子メールのパケットであるか否かを調べる（図１１のステップＳ１１１）。なお、電子メールのパケットであるか否かは、パケット中のプロトコル番号，ポート番号に基づいて判定することができる。
【００８２】
そして、電子メールのパケットである場合（ステップＳ１１１がＹＥＳ）は、パケットのデータ部に含まれている電子メールを迷惑メール判定部１３に渡し、それが迷惑メールであるか否かを判定することを依頼する（ステップＳ１１２）。
【００８３】
これにより、迷惑メール判定部１３は、判定依頼部１２１ａから渡された電子メールが迷惑メールであるか否かを判定し、判定結果を判定依頼部１２１ａに返却する。判定依頼部１２１ａは、迷惑メール判定部１３から判定結果が返却されると、それを振り分け部１２２ａに渡す。
【００８４】
振り分け部１２２ａは、判定結果が迷惑メールでないことを示している場合（ステップＳ１１３がＮＯ）は、処理対象にしているパケットをそのままルーティング処理部１２３に渡す。これにより、ルーティング処理部１２３は、パケットの宛先ＩＰアドレスと、ルーティングテーブル１４２の内容とに基づいて、上記パケットの出力先にするパケット送受信部を決定し、そのパケット送受信部を介してパケットを送出する（ステップＳ１１５、Ｓ１１６）。例えば、上記パケットの宛先ＩＰアドレスが、一般メール用メールサーバ２のＩＰアドレスになっているとすると、ルーティングテーブル１４２の内容は、前述したように、宛先ＩＰアドレスが、一般メール用メールサーバ２のＩＰアドレスとなっているパケットをパケット送受信部１１−ｋに出力するようになっているので、上記パケットは、パケット送受信部１１−ｋを介してネットワーク６に送出され、一般メール用メールサーバ２で受信されることになる。
【００８５】
これに対して、判定結果が迷惑メールであることを示している場合（ステップＳ１１３がＹＥＳ）は、振り分け部１２２ａは、メールサーバリスト記憶部１４１から迷惑メール用メールサーバ３のＩＰアドレスを取り出し、処理対象にしているパケットの宛先ＩＰアドレスに上記ＩＰアドレスをセット（上書き）し、その後、パケットをルーティング処理部１２３に渡す（ステップＳ１１４）。これにより、ルーティング処理部１２３は、パケットの宛先ＩＰアドレスと、ルーティングテーブル１４２の内容とに基づいて、上記パケットの出力先にするパケット送受信部を決定し、そのパケット送受信部を介してパケットを送出する（ステップＳ１１５、Ｓ１１６）。この例の場合、上記パケットの宛先ＩＰアドレスは、迷惑メール用メールサーバ３のＩＰアドレスとなっており、また、ルーティングテーブル１４２の内容は、前述したように、宛先ＩＰアドレスが、迷惑メール用メールサーバ３のＩＰアドレスとなっているパケットをパケット送受信部１１−ｋに出力するようになっているので、上記パケットは、パケット送受信部１１−ｋを介してネットワーク６に送出され、迷惑メール用メールサーバ３で受信されることになる。
【００８６】
また、判定処理部１２１ａは、パケット送受信部１１−１〜１１−ｋを介して受信したパケットが電子メールのパケットでなかった場合（ステップＳ１１１がＮＯ）は、上記パケットをルーティング処理部１２３に渡す（ステップＳ１１７）。これにより、ルーティング処理部１２３は、ルーティングテーブル１４２を参照してパケットを出力するパケット送受信部を決定し、そのパケット送受信部を介してパケットを送出する（ステップＳ１１５、Ｓ１１６）。
【００８７】
〔第２の実施の形態の効果〕
本実施の形態によれば、第１の実施の形態により得られる効果に加え、ネットワーク装置１をルータとして機能させることが可能になるという効果を得ることができる。
【００８８】
その理由は、複数のパケット送受信部１１−１〜１１−ｋと、ルーティング情報が登録されたルーティングテーブル１４２と、振り分け部１２２ａで宛先ＩＰアドレスが置き換えられた後の電子メール、迷惑メール判定部１３で迷惑メールでないと判定された電子メール、およびパケット受信部１１−１〜１１−ｋを介して受信した、宛先ＩＰアドレスが一般メール用メールサーバ２のＩＰアドレスと異なる電子メールに関して、その出力先にするパケット送受信部を、ルーティングテーブル１４２を参照して決定するルーティング処理部１２３とを備えているからである。
【産業上の利用可能性】
【００８９】
本発明は、迷惑メールであるか否かを判定し、その判定結果を利用して迷惑メールによる無駄なコストを抑制する分野に利用できる。
【図面の簡単な説明】
【００９０】
【図１】本発明にかかる迷惑メール抑制システムの第１の実施の形態の構成例を示す図である。
【図２】ネットワーク装置１の構成例を示すブロック図である。
【図３】メールサーバリスト記憶部１４１の内容例を示す図である。
【図４】一般メール用メールサーバ２の構成例を示すブロック図である。
【図５】ユーザ端末４の構成例を示すブロック図である。
【図６】パケット転送制御部１２の処理例を示すフローチャートである。
【図７】一般メール用メールサーバ２がネットワーク装置１からパケットを受信したときの処理例を示すフローチャートである。
【図８】一般メール用メールサーバ２が電子メールの受信要求を受信したときの処理例を示すフローチャートである。
【図９】ユーザ端末４の処理例を示すフローチャートである。
【図１０】本発明にかかる迷惑メール抑制システムの第２の実施の形態で使用するネットワーク装置１ａの構成例を示すブロック図である。
【図１１】パケット転送制御部１２ａの処理例を示すフローチャートである。
【符号の説明】
【００９１】
１、１ａ…ネットワーク装置
１１、１１−１〜１１−ｋ…パケット送受信部
１２、１２ａ…パケット転送制御部
１２１、１２１ａ…判定依頼部
１２２、１２２ａ…振り分け部
１２３…ルーティング処理部
１４、１４ａ…記憶装置
１４１…メールサーバリスト記憶部
１４２…ルーティングテーブル
２…一般メール用メールサーバ
２１…メール受信部
２２…メール送信部
２３…メールボックス
３…迷惑メール用メールサーバ
４…ユーザ端末
４１…一般メール受信用ＩＰアドレス記憶部
４２…迷惑メール受信用ＩＰアドレス記憶部
４３…メール受信部
４４…メール記憶部
４５…入力部
４６…表示部
５…メール中継サーバ
６…ネットワーク
【図１】
2007183802.tif 000003
【図２】
2007183802.tif 000004
【図３】
2007183802.tif 000005
【図４】
2007183802.tif 000006
【図５】
2007183802.tif 000007
【図６】
2007183802.tif 000008
【図７】
2007183802.tif 000009
【図８】
2007183802.tif 000010
【図９】
2007183802.tif 000011
【図１０】
2007183802.tif 000012
【図１１】
2007183802.tif 000013